(57)【要約】【課題】硬質樹脂製の遊技盤であっても、そのレール取付孔に打ち込まれたレール取付釘が緩むことなくしっかりと固定され、ガイドレールをガタつかせるようなことがないレール取付釘を提供する。【解決手段】遊技盤Ｂ面にガイドレール１ａ，１ｂを装着するためレール取付孔９に打ち込まれるレール取付釘Ａであって、金属材料により細長状に形成されると共に一側面１０ａが弧面状に膨出し、長手方向の中央でＵ字状に二つ折りして前記一側面１０ａを外側面とする割りピン状に形成され、該一側面１０ａにはレール取付孔９に打ち込んだとき該レール取付孔９の内周面９ａに圧接する抜け止め用の隆起部１５を長手方向に対し交差する向きに複数設けた構成からなる。【選択図】図５
2009285333.tif 000002
【特許請求の範囲】
【請求項１】
遊技盤面にガイドレールを装着するためレール取付孔に打ち込まれるレール取付釘であって、
金属材料により細長状に形成されると共に一側面が弧面状に膨出し、長手方向の中央でＵ字状に二つ折りして前記一側面を外側面とする割りピン状に形成され、
前記一側面には前記レール取付孔に打ち込んだとき該レール取付孔の内周面に圧接する抜け止め用の隆起部を長手方向に対し交差する向きに複数設けたことを特徴とするレール取付釘。
【発明の詳細な説明】
【技術分野】
【０００１】
本発明は、遊技盤が硬質樹脂により成形されていても、ガイドレールをしっかりと固定するようにしたレール取付釘に関するものである。
【背景技術】
【０００２】
従来、パチンコ遊技機の遊技盤はベニヤ板を積層して形成されている。また、ガイドレールを装着するためのレール取付釘は、金属製であって中央部で二つ折りして割ピン状に形成される。そして、該遊技盤の所定位置にレール取付孔を開設し、該レール取付孔に沿ってガイドレールを配置すると共に、該ガイドレールに取着したレール取付釘をレール取付孔に打ち込むようにしてガイドレールを装着するようにしている（例えば、特許文献１参照。）。
【０００３】
ところで、パチンコ遊技機では、遊技内容を表示するディスプレイを備えた変動表示装置を遊技盤面に配置し、特定の入賞口に入賞することにより前記ディスプレイに文字、数字、記号等の図柄を変動表示し、一定時間経過後に停止した図柄が例えば「７７７」といった特定の図柄に揃ったとき、遊技者に有利な特定遊技状態となり、一定の条件の下で一度に多くの入賞球が得られるようにしたものが好評を博している。そして、近時、前記変動表示装置の大型化が目立ち、中には遊技盤面と略同じディスプレイを備えたものまで出現している（例えば、特許文献２参照。）。この場合は、遊技盤を例えば透明なポリカーボネートといった硬質樹脂により成形し、その後側にディスプレイを配置するようにしている。また、硬質樹脂の遊技盤面の所定位置にレール取付孔を開設し、該レール取付孔に沿ってガイドレールを配置すると共に該ガイドレールに取着されたレール取付釘をレール取付孔に打ち込むようにしている。
【０００４】
【特許文献１】実公昭６１−３６３００号公報（第１−２頁、図１乃至図３）
【特許文献２】特開２００５−１５２２８４号公報（第４頁段落００１３、図３）
【発明の開示】
【発明が解決しようとする課題】
【０００５】
しかしながら、前記遊技盤が硬質樹脂により成形されている場合は、レール取付孔に打ち込まれたレール取付釘に引っ掛かりがほとんどない。このため、ガイドレールを長く使用していると、レール取付孔に対しレール取付釘が緩んで抜け出てしまい、ガイドレールがガタつき遊技に支障が出るという課題が有る。
【０００６】
そこで、本発明は上記課題を解決すべくなされたもので、硬質樹脂製の遊技盤であっても、そのレール取付孔に打ち込まれたレール取付釘が緩むことなくしっかりと固定され、ガイドレールをガタつかせるようなことがないレール取付釘を提供することを目的とする。
【課題を解決するための手段】
【０００７】
かかる目的を達成するため本発明に係るレール取付釘は、遊技盤面にガイドレールを装着するためレール取付孔に打ち込まれるレール取付釘であって、金属材料により細長状に形成されると共に一側面が弧面状に膨出し、長手方向の中央でＵ字状に二つ折りして前記一側面を外側面とする割りピン状に形成され、前記一側面には前記レール取付孔に打ち込んだとき該レール取付孔の内周面に圧接する抜け止め用の隆起部を複数設けたことを特徴とする。
【発明の効果】
【０００８】
本発明に係るレール取付釘は、金属材料により細長状に形成されると共に一側面が弧面状に膨出し、長手方向の中央でＵ字状に二つ折りして前記一側面を外側面とする割りピン状に形成され、該一側面には前記レール取付孔に打ち込んだとき該レール取付孔の内周面に圧接する抜け止め用の隆起部を長手方向に対し交差する向きに複数設けたので、硬質樹脂製の遊技盤に開設されたレール取付孔にレール取付釘を打ち込んだ場合、外側面の複数の隆起部がレール取付孔の内周面に圧接して該レール取付釘の緩みを無くすことができる。よって、これによりガイドレールのガタつきが防止され、遊技に支障を生じないという有益な効果を奏する。
【発明を実施するための最良の形態】
【０００９】
以下、本発明に係るレール取付釘の実施の形態を図面に基づき説明する。なお、本発明のレール取付釘は、専らポリカーボネートといった硬質樹脂により成形された遊技盤に適用される。図１は、本発明が適用される遊技盤の正面図である。該遊技盤Ｂは、透明なポリカーボネートにより正面略正方形状をなす平板状に形成され、その前面に内側のガイドレール１ａ及び外側のガイドレール１ｂが略渦巻き状に敷設され、その内・外側のガイドレール１ａ，１ｂにより囲われるようにして遊技部２が形成される。
【００１０】
前記遊技部２には、一般入賞口３、遊技球が入賞することにより後記する変動表示装置のディスプレイに表示される数字、記号等の図柄を変動させる始動入賞口４、停止した該図柄が特定の図柄に揃って特別遊技状態になったとき開放する大入賞装置５が設けられる。また、他に、遊技球の流下方向を変える障害釘６や風車７が所定の位置に配設されている。この場合、遊技盤Ｂの後側に数字、記号等の図柄を変動表示するディスプレイを備えた変動表示装置（図示せず。）が配置される。８は、遊技部２の下方に設けられ遊技部２に打ち込まれるも入賞球となり得なかった遊技球をアウト球として排出するためのアウト球口である。
【００１１】
そして、遊技盤Ｂの遊技部２に打ち込まれた遊技球が始動入賞口４に入賞すると、ディスプレイの図柄が変動を開始し、一定時間経過後に停止する。このときの図柄が特定の図柄（例えば「７７７」）に揃うと、遊技者に有利な特別遊技状態となり、大入賞口５が所定個数（例えば１０個）の遊技球が入賞するまでの間、または、所定時間（例えば３０秒）経過するまでの間、開いた状態になる。このようにして、一定の条件の下で前記大入賞口５が例えば１６ラウンドまで開放動作を行い、一度に多くの賞球が得られるようになっている。これら各ラウンド中、遊技者は透明な遊技盤Ｂを介してディスプレイの図柄変動を見て楽しむことになる。
【００１２】
図２は、内側のガイドレール１ａを遊技盤Ｂ面に装着する状態を示し、遊技盤Ｂには、前記一般入賞口３、始動入賞口４、大入賞装置５を装着するための開口３ａ，４ａ，５ａおよびアウト球口８を設けるための開口８ａが所定の位置に開設されている。また、障害釘６が植設される。更に、内側のガイドレール１ａが装着される弧状のラインに沿わせて本発明に係るレール取付釘Ａを打ち込むためのレール取付孔９が開設される。
【００１３】
次に、本発明に係るレール取付釘について詳しく説明する。図３（イ）はレール取付釘の斜視図、図３（ロ）は同平面図、図３（ハ）は図３（ロ）のＸ−Ｘ線拡大断面図である。レール取付釘Ａは、ステンレス鋼をプレスすることにより成形され、例えば長さが２３ｍｍ、幅２．６ｍｍ、厚み０．９ｍｍといった細長状に形成されている。長手方向に沿った中央に一側面（外側面）が略蒲鉾状に弧面状に膨出する釘本体１０が設けられ、該釘本体１０の長手方向の両端部はそれぞれやや先細状に形成される。レール取付釘Ａは、ステンレス鋼以外に鉄鋼であっても良い。
【００１４】
また、釘本体１０の短手方向の両側端面にはその長手方向の中央と両先端側に、それぞれ釘本体１０の長手方向と平行に位置する小突片１１ａ，１１ｂ，１１ａが突設される。両先端側の各小突片１１ａ，１１ａ及び中央の小突片１１ｂは、長手方向の先端側の端縁１２ａ，１２ａ，１２ｂがいずれも釘本体１０の長手方向に対し中央側へ傾斜している。これは、後記するように該レール取付釘Ａを中央でＵ字状に二つ折りし割りピン状に形成するようにしてレール取付孔９に打ち込むことから、その際に抵抗を減じて挿入し易くさせるためである。
【００１５】
そして、前記釘本体１０の一側面である外側面１０ａに、一定の間隔離して該釘本体１０と直交する方向に沿って所定深さのＶ溝１３が複数本設けられる。該各Ｖ溝１３は、図４に示すように、例えばレール取付釘Ａを水平に配置すると共にその上方に下端がＶ型に尖った複数の刃型１４を上下動自在に配置し、該各刃型１４を一定の圧力で釘本体１０の外側面１０ａに押圧して形成する。また、この際、前記各Ｖ溝１３の長手方向に沿った両側端縁に釘本体１０の外側面１０ａよりも外側（上方）へ突出する隆起部１５，１５が形成される。後記するように、これら隆起部１５，１５がレール取付孔９にレール取付釘Ａを打ち込んだとき、レール取付孔９の内周面９ａに圧接してレール取付釘Ａの抜け止め作用を果たすことになる。このため、両隆起部１５，１５がレール取付孔９の内周面９ａに圧接するようにレール取付釘Ａの各部の寸法が設定される。
【００１６】
本発明にあっては、釘本体１０の外側面１０ａにプレスによってＶ溝１３を設けることにより、その両側端縁に隆起部１５，１５を形成するようにしたので、隆起部１５，１５を形成することは簡単に行なえる。また、釘本体１０の外側面１０ａに、その長手方向に対し直交する方向にＶ溝１３を設けるようにしたが、その方向はこれに限られることはなく、例えばその長手方向に対し３０度、４５度、６０度の傾斜、またはこれらを網目状に交差させるようにしても良い。
【００１７】
本発明のレール取付釘Ａは上記構成からなり、次にその使用方法を説明する。図５（イ）は遊技盤Ｂに内側のガイドレール１ａを装着した状態の縦断面図、図５（ロ）は図５（ロ）のＹ−Ｙ線拡大断面図、図５（ハ）は図５（イ）の一部の拡大断面図である。レール取付釘Ａは、釘本体１０のＶ溝１３を設けた一側面を外側にし、中央をＵ字状に屈曲して割りピン状にする。そして、内側のガイドレール１ａにおける長手方向の遊技盤Ｂ側に列設された通孔１６にそれぞれレール取付釘Ａを挿通し、各レール取付釘Ａをこれらと対応する各レール取付孔９に打ち込む。これにより、図５（ロ）（ハ）に示すように釘本体１０の外側面１０ａから突出する各隆起部１５，１５が、レール取付孔９の内周面９ａに圧接することになる。
【００１８】
このように、本発明に係るレール取付釘Ａは、金属材料により細長状に形成されると共に一側面が弧面状に膨出し、長手方向の中央でＵ字状に二つ折りして前記一側面を外側面１０ａとする割りピン状に形成され、該外側面１０ａにはレール取付孔９に打ち込んだとき該レール取付孔９の内周面９ａに圧接する抜け止め用の隆起部１５を長手方向に対し交差する向きに複数設けたので、硬質樹脂製の遊技盤Ｂに開設されたレール取付孔９にレール取付釘Ａを打ち込んだ場合、該隆起部１５がレール取付孔９の内周面９ａに圧接し、該レール取付釘Ａの緩みをなくすことができる。よって、これによりガイドレール１ａ，１ｂのガタつきが抑えられる。
【図面の簡単な説明】
【００１９】
【図１】本発明が適用される遊技盤の正面図。
【図２】内側のガイドレールを装着する状態を示す遊技盤の斜視図。
【図３】（イ）はレール取付釘の斜視図、（ロ）は同平面図、（ハ）は図３（ロ）のＸ−Ｘ線拡大断面図。
【図４】釘本体の一側面にＶ溝を形成する方法を示すレール取付釘の正面図。
【図５】（イ）は内側のガイドレールを装着した状態の遊技盤の縦断面図、図５（ロ）は図５（イ）のＹ−Ｙ線拡大断面図、図５（ハ）は図５（イ）の一部の拡大断面図。
【符号の説明】
【００２０】
１ａ          内側のガイドレール
１ｂ          外側のガイドレール
９            レール取付孔
９ａ          内周面
１０          釘本体
１０ａ        一側面（外側面）
１３          Ｖ溝
１５          隆起部
Ａ            レール取付釘
Ｂ            遊技盤
【図１】
2009285333.tif 000003
【図２】
2009285333.tif 000004
【図３】
2009285333.tif 000005
【図４】
2009285333.tif 000006
【図５】
2009285333.tif 000007